(57)【要約】      （修正有）【課題】簡単で部品点数が少なく、かつ見栄えがよく、さらに、１本立ち鉢植胡蝶蘭としても飾り付けが可能な鉢植胡蝶蘭集合体を提供する。【解決手段】鉢植組合せと、鉢植組合せを収納する収納容器１０とを備え、１本立ち鉢植胡蝶蘭は、１株の胡蝶蘭を１つの鉢１１０に植付けて構成されており、収納容器１０は、収納容器１０の底部を備える下部構造部１１と、下部構造部１１の上部に形成される上部構造部１２とを備え、下部構造部１１は、１本立ち鉢植胡蝶蘭の鉢１１０、又は、他の鉢植植物の鉢を収納可能な凹部３を複数備えており、複数の凹部３の少なくとも１つは、収納容器１０の縦方向中心軸に対して上端側が離れる方向に傾斜するように、１本立ち鉢植胡蝶蘭の鉢１１０、又は、他の鉢植植物の鉢を保持し、上部構造部１２は、収納される鉢植組合せの鉢周囲を囲う。【選択図】図１
0003225207.tif 000002
【実用新案登録請求の範囲】
【請求項１】
複数の１本立ち鉢植胡蝶蘭から成る鉢植組合せ、又は、少なくとも１つの１本立ち鉢植胡蝶蘭と他の鉢植植物を組合せて成る鉢植組合せと、前記鉢植組合せを収納する収納容器とを備え、
前記１本立ち鉢植胡蝶蘭は、１株の胡蝶蘭を１つの鉢に植付けて構成されており、
前記収納容器は、前記収納容器の底部を備える下部構造部と、前記下部構造部の上部に形成される上部構造部とを備え、
前記下部構造部は、前記１本立ち鉢植胡蝶蘭の鉢、又は、前記他の鉢植植物の鉢を収納可能な凹部を複数備えており、
前記複数の凹部の少なくとも１つは、前記収納容器の縦方向中心軸に対して上端側が離れる方向に傾斜するように、前記１本立ち鉢植胡蝶蘭の鉢、又は、前記他の鉢植植物の鉢を保持し、
前記上部構造部は、収納される前記鉢植組合せの鉢周囲を囲う
ことを特徴とする鉢植胡蝶蘭集合体。
【請求項２】
請求項１に記載の鉢植胡蝶蘭集合体において、
前記上部構造部と前記下部構造部とが合成樹脂を用いた一体成型により構成されていることを特徴とする鉢植胡蝶蘭集合体。
【請求項３】
請求項１に記載の鉢植胡蝶蘭集合体において、
前記上部構造部は、前記各鉢保持部に収納された鉢の外周を囲う紙製の筒部材であって、前記筒部材は前記下部構造部に対して分離可能に構成されていることを特徴とする鉢植胡蝶蘭集合体。
【請求項４】
請求項１に記載の鉢植胡蝶蘭集合体において、
前記上部構造部は、前記各鉢保持部に収納された鉢の外周を囲う金属製線材から成る枠部材であって、前記枠部材は前記下部構造部に対して分離可能に構成されていることを特徴とする鉢植胡蝶蘭集合体。
【請求項５】
請求項１から請求項４のいずれか一項に記載の鉢植胡蝶蘭集合体において、
前記収納容器の縦方向中心軸に対して上端側が離れる方向に傾斜するように、前記１本立ち鉢植胡蝶蘭の鉢、又は、前記他の鉢植植物の鉢を保持する場合に、前記凹部は、当該凹部の底面が前記収納容器の外周に向かうに従い低くなるように傾斜していることを特徴とする鉢植胡蝶蘭集合体。
【請求項６】
請求項１から請求項５のいずれか一項に記載の鉢植胡蝶蘭集合体において、
前記収納容器は、逆円錐台又は逆楕円錐台に形成されていることを特徴とする鉢植胡蝶蘭集合体。
【請求項７】
請求項１から請求項６のいずれか一項に記載の鉢植胡蝶蘭集合体において、
前記１本立ち鉢植胡蝶蘭の鉢は、陶磁器製の鉢であることを特徴とする鉢植胡蝶蘭集合体。
【請求項８】
請求項１から請求項７のいずれか一項に記載の鉢植胡蝶蘭集合体において、
前記１本立ち鉢植胡蝶蘭の鉢は、逆円錐台又は逆角錐台に形成されていることを特徴とする鉢植胡蝶蘭集合体。
【請求項９】
請求項１から請求項８のいずれか一項に記載の鉢植胡蝶蘭集合体において、
前記収納容器は３つ以上の凹部を備え、そのうち少なくとも２つは、前記収納容器の縦方向中心軸に対して上端側が離れる方向に傾斜するように、前記１本立ち鉢植胡蝶蘭の鉢、又は、前記他の鉢植植物の鉢を保持することを特徴とする鉢植胡蝶蘭集合体。
【請求項１０】
請求項１から請求項９のいずれか一項に記載の鉢植胡蝶蘭集合体において、
前記鉢植組合せは、全て一本立ち鉢植胡蝶蘭で構成されることを特徴とする鉢植胡蝶蘭集合体。
【考案の詳細な説明】
【技術分野】
【０００１】
本考案は、鉢植胡蝶蘭集合体に関し、特に、複数の鉢植胡蝶蘭を組合せ、又は、少なくとも１つの鉢植胡蝶蘭と他の鉢植植物を組合せて構成した鉢植胡蝶蘭集合体に関する。
【背景技術】
【０００２】
一般に、鉢植胡蝶蘭は、１つの鉢に１株の胡蝶蘭を植付けた１本立ちのものや、１つの鉢に複数株の胡蝶蘭を植付けた複数本立ちのものが知られている。また、胡蝶蘭だけでなく、胡蝶蘭と他の洋蘭等を組合せて寄せ植えとしたものも存在する。鉢植胡蝶蘭は、胡蝶蘭自体が豪華で華やかであるため、用いられる鉢自体も陶器製のものが多く用いられている。
【０００３】
一方、近年、鉢植の植物において、重量が軽く取扱いが容易であるため、プラスチック等の合成樹脂製の鉢を用いたものが多く販売され、鉢植胡蝶蘭にも用いられている。
【０００４】
特許文献１には、３本立ちないしは５本立ちの胡蝶蘭等の集合体としての利用もでき、且つ１本立ち胡蝶蘭としても利用可能な胡蝶蘭の集合体に関する技術が記載されている。
【０００５】
特許文献２には、１つの植木鉢に同品種または異種の観賞用花卉をポット苗の状態で複数個寄植えするための固定具に関する技術が記載されている。
【０００６】
特許文献３には、上面に複数の挿通孔が互いに離隔して設けられる容器と、複数の挿通孔に各々挿通されて容器の底面上に載置され、且つ上端部が容器の上面から突出し、容器の上面から上端部が突出する高さが異なる複数のシリンダと、を具備するプランターに関する技術が記載されている。
【先行技術文献】
【特許文献】
【０００７】
【特許文献１】実用新案登録第３２１００３９号公報
【特許文献２】実用新案登録第３１１７６４７号公報
【特許文献３】特開２０１９−７６５８８号公報
【考案の概要】
【考案が解決しようとする課題】
【０００８】
しかしながら、複数本立ちの鉢植胡蝶蘭に用いられる陶器製の鉢は、外形寸法が比較的大きく、陶器製の場合にはその重量も重いものとなっていた。さらに、植付けられている複数の株のうちの一部が枯れる等の状況になった際には植替えが必要となる。植替えを行うと当初ほどの大きな陶器製鉢が不要となるが、この作業は煩雑で手間のかかるものであった。
【０００９】
一方、合成樹脂製鉢を鉢植胡蝶蘭に用いる場合、特に、１本立ちのものにおいては、鉢自体が軽量であるため、花茎が上方から前面へ湾曲して伸びた胡蝶蘭では、全体が不安定となることが懸念される。特に、花自体が大きい大輪系の胡蝶蘭においては、株元から花茎が大きく上方に伸びているため、さらに不安定となることが予想される。
【００１０】
植替えが必要のない方法として、特許文献１のように複数の１本立ち胡蝶蘭を集合容器に収納する構成が開示されている。しかし、特許文献１では、１本立ち胡蝶蘭を集合容器内に固定する構造が複雑であり、部品点数が多く要する。さらに、１本立ち胡蝶蘭は平行に並列されているため、集合容器自体が大きくなってしまう。
【００１１】
また、特許文献２は、複数の胡蝶蘭などの観賞用花卉を１つの鉢に植付ける方法が開示されている。ここでは、胡蝶蘭等の観賞用花卉をポット苗として固定具により固定し、固定具を植木鉢に収納する構造となっている。この構造であると、観賞用花卉をそれ単体で観賞するためには、植替えが必要になることが懸念される。
【００１２】
また、特許文献３は、複数のシリンダを収納可能なプランターが開示されている。しかし、特許文献３は、陶器製鉢から成る１本立ち鉢植胡蝶蘭を支える強度への対応については開示されていない。さらに、複数のシリンダは、平行に並列されているため、容器自体が大きくなってしまう。
【００１３】
本考案は、上記課題に鑑みて、複数の鉢植胡蝶蘭を組合せ、又は、少なくとも１つの鉢植胡蝶蘭と他の鉢植植物を組合せて構成でき、簡単で部品点数が少なく、かつ見栄えがよく、さらに、１本立ち鉢植胡蝶蘭としても鑑賞が可能な鉢植胡蝶蘭集合体を提供することを目的とする。
【課題を解決するための手段】
【００１４】
上記目的を達成するため、代表的な本考案の鉢植胡蝶蘭集合体の１つは、複数の１本立ち鉢植胡蝶蘭から成る鉢植組合せ、又は、少なくとも１つの１本立ち鉢植胡蝶蘭と他の鉢植植物を組合せて成る鉢植組合せと、前記鉢植組合せを収納する収納容器とを備え、前記１本立ち鉢植胡蝶蘭は、１株の胡蝶蘭を１つの鉢に植付けて構成されており、前記収納容器は、前記収納容器の底部を備える下部構造部と、前記下部構造部の上部に形成される上部構造部とを備え、前記下部構造部は、前記１本立ち鉢植胡蝶蘭の鉢、又は、前記他の鉢植植物の鉢を収納可能な凹部を複数備えており、前記複数の凹部の少なくとも１つは、前記収納容器の縦方向中心軸に対して上端側が離れる方向に傾斜するように、前記１本立ち鉢植胡蝶蘭の鉢、又は、前記他の鉢植植物の鉢を保持し、前記上部構造部は、収納される前記鉢植組合せの鉢周囲を囲うことを特徴とする。
【００１５】
さらに本考案の鉢植胡蝶蘭集合体の１つは、前記上部構造部と前記下部構造部とが合成樹脂を用いた一体成型により構成されていることを特徴とする。
さらに本考案の鉢植胡蝶蘭集合体の１つは、前記上部構造部は、前記各鉢保持部に収納された鉢の外周を囲う紙製の筒部材であって、前記筒部材は前記下部構造部に対して分離可能に構成されていることを特徴とする。
さらに本考案の鉢植胡蝶蘭集合体の１つは、前記上部構造部は、前記各鉢保持部に収納された鉢の外周を囲う金属製線材から成る枠部材であって、前記枠部材は前記下部構造部に対して分離可能に構成されていることを特徴とする。
【００１６】
さらに本考案の鉢植胡蝶蘭集合体の１つは、前記収納容器の縦方向中心軸に対して上端側が離れる方向に傾斜するように、前記１本立ち鉢植胡蝶蘭の鉢、又は、前記他の鉢植植物の鉢を保持する場合に、前記凹部は、当該凹部の底面が前記収納容器の外周に向かうに従い低くなるように傾斜していることを特徴とする。
さらに本考案の鉢植胡蝶蘭集合体の１つは、前記収納容器は、逆円錐台又は逆楕円錐台に形成されていることを特徴とする。
さらに本考案の鉢植胡蝶蘭集合体の１つは、前記１本立ち鉢植胡蝶蘭の鉢は、陶磁器製の鉢であることを特徴とする。
【００１７】
さらに本考案の鉢植胡蝶蘭集合体の１つは、前記１本立ち鉢植胡蝶蘭の鉢は、逆円錐台又は逆角錐台に形成されていることを特徴とする。
さらに本考案の鉢植胡蝶蘭集合体の１つは、前記収納容器は３つ以上の凹部を備え、そのうち少なくとも２つは、前記収納容器の縦方向中心軸に対して上端側が離れる方向に傾斜するように、前記１本立ち鉢植胡蝶蘭の鉢、又は、前記他の鉢植植物の鉢を保持することを特徴とする。
さらに本考案の鉢植胡蝶蘭集合体の１つは、前記鉢植組合せは、全て一本立ち鉢植胡蝶蘭で構成されることを特徴とする。
【考案の効果】
【００１８】
本考案によれば、鉢植胡蝶蘭集合体において、複数の鉢植胡蝶蘭を組合せ、又は、少なくとも１つの鉢植胡蝶蘭と他の鉢植植物を組合せて構成でき、簡単で部品点数が少なく、かつ見栄えがよく、さらに、１本立ち鉢植胡蝶蘭としても鑑賞ができる。
上記以外の課題、構成及び効果は、以下の実施形態により明らかにされる。
【図面の簡単な説明】
【００１９】
【図１】本考案の鉢植胡蝶蘭集合体の第１の実施形態の収納容器を示す斜視図である。
【図２】本考案の鉢植胡蝶蘭集合体の第１の実施形態の収納容器を示す上面図である。
【図３】本考案の鉢植胡蝶蘭集合体の第１の実施形態の収納容器を示す部分断面図である。
【図４】本考案の鉢植胡蝶蘭集合体で用いることのできる１本立ち鉢植胡蝶蘭の例を示す斜視図である。
【図５】本考案の鉢植胡蝶蘭集合体の第１の実施形態を示す斜視図である。
【図６】本考案の鉢植胡蝶蘭集合体の第２の実施形態の収納容器を示す部分断面図である。
【図７】本考案の鉢植胡蝶蘭集合体の第３の実施形態の収納容器を示す部分断面図である。
【図８】本考案の鉢植胡蝶蘭集合体の第３の実施形態の収納容器の組み立て方法を示す部分的な斜視図である。
【考案を実施するための形態】
【００２０】
本考案を実施するための形態を説明する。
【００２１】
（第１の実施形態）
図１は、本考案の鉢植胡蝶蘭集合体の第１の実施形態の収納容器を示す斜視図である。図２は、本考案の鉢植胡蝶蘭集合体の第１の実施形態の収納容器を示す上面図である。図３は、本考案の鉢植胡蝶蘭集合体の第１の実施形態の収納容器を示す部分断面図であり、図２のＡＡ断面を示している。図１は前側上方から見た斜視図である。図２の上下方向は収納容器１０の前後方向となり、図２の左右方向は収納容器１０の左右方向となる。図３の上下方向は収納容器１０の上下方向となる。
【００２２】
収納容器１０は、下部構造部１１と上部構造部１２とから構成されている。下部構造部１１は収納容器１０の底部を含む下側を構成しており、上部構造部１２は下部構造部１１より上部の部分（側面部等）を構成している。また、収納容器１０の上部は開口している。
【００２３】
下部構造部１１は、収納容器１０の底部に鉢保持部１１ａを備えている。鉢保持部１１ａは上部が開口する凹部３により形成されている。この凹部３に１本立ち鉢植胡蝶蘭１００（図４）の鉢１１０が嵌合され保持される。また、下部構造部１１は、上から見て円形となっている。
【００２４】
凹部３（鉢保持部１１ａ）の数は、図１〜３では、３つの例を示している。これらの凹部３の形状は同じである。凹部３は、それぞれ収納容器１０の縦方向（高さ方向）中心軸Ｐの外側に設けられている。さらには、中心軸Ｐを中心として等角度間隔で同じ半径の位置に設けられており、具体的には１２０°ごとに、中心軸Ｐから同じ半径の位置にそれぞれ設けられている。図１〜３では、凹部３が、前側の両側に２つ、後ろ側の中央に１つ配置された例を示している。
【００２５】
凹部３は、底面３ａと側部３ｂを備えており、鉢１１０の下部の形状に合わせた形状となっている。例えば、図３のように鉢１１０の下側付近の外形の水平断面形状に一致させた断面形状となっている。そして、図１〜３において、凹部３は、鉢１１０の断面形状に一致する形状であり、鉢１１０の縦方向の中心軸Ｑに直角な断面が円形となっている。
【００２６】
凹部３により保持される鉢１１０は、上に行くほど外側へ向けて傾くように保持される。具体的には、鉢１１０の縦方向の中心軸Ｑは、垂直方向に対して角度θだけ外側へ向けて傾くように保持される。すなわち、鉢１１０の縦方向の中心軸Ｑが、収納容器１０の縦方向中心軸Ｐに対して、上端側が離れる方向に傾斜するよう支える構造となっている。この凹部３の構成は、収納容器１０に形成されるいずれの凹部３についても同様の構成となっている。このように各凹部３を形成することで、鉢１１０の下部を収納容器１０の中心部側に寄せた位置に配置することができる。
【００２７】
凹部３の底面３ａは、鉢１１０の底部に一致した形状となっており、図１〜３では円形の例を示している。このとき、この底面３ａは、収納容器１０の中心側から外周側へ向かって下がるように傾斜して構成されている。これにより、鉢１１０を傾けることができる。この場合、水平に対する傾斜角は上記の角度θとなる。ここで例えば角度θは、２°以上、さらには５°以上、さらには７°以上であって、３０°以下、さらには２０°以下、さらには１５°以下等の範囲で適用できる。
【００２８】
さらに、凹部３の側部３ｂは、鉢１１０を傾けて支持できるように、鉢１１０の下部付近の周囲に鉢１１０の傾きに合わせて斜めに形成されている。また、鉢１１０の外形寸法のばらつきも想定されることから、鉢１１０の外形寸法よりその内径を僅かに大きく構成することができる。また、鉢保持部１１ａにおける凹部３の深さは、１本立ち鉢植胡蝶蘭１００が倒れないように、側部３ｂで支えられる深さがあると望ましい。例えば側部３ｂの深さは、鉢１１０の高さ方向の５％以上、さらには１０％以上、さらには１５％以上であって、鉢１１０の高さ方向の５０％以下、さらには３０％以下、さらには２０％以下等の範囲で適用できる。
【００２９】
上部構造部１２は、側面部１２ａを備えている。側面部１２ａは、下部構造部１１の外周部、すなわち上述した凹部３よりも外側の外周部から上部へ向けて立ち上り、収納容器１０内に収納される３つの鉢１１０の外周を囲うように構成されている。側面部１２ａの高さは、例えば、鉢１１０の高さの５割以上の範囲、さらには８割以上の範囲、さらには１０割以上の範囲の高さを覆うことができる。また、高くなりすぎないように側面部１２ａは鉢１１０の高さの１２割以下の範囲、さらには１０割以下の範囲としてもよい。側面部１２ａは、水平断面が円形であり、下部構造部１１から立ち上って上方に行くにしたがってその外径が大きくなっており、収納容器１０全体として逆円錐台の形状となっている。
【００３０】
さらに、上部構造部１２は、側面部１２ａの上縁に鍔１２ｂを設けてもよい。鍔１２ｂは、側面部１２ａの上端から外側へ向けて突出している。例えば、図１〜３に示すように側面部１２ａの上端から水平方向外側へ突出するフランジ状の形状とすることができる。この鍔１２ｂは、収納容器１０を持ちやすくしたり、断面係数を増やして強度を増したりする効果がある。一方で、収納容器１０の全体的なデザインを考慮して設けない構成とすることも可能である。
【００３１】
収納容器１０は、下部構造部１１及び上部構造部１２を合成樹脂による一体成型により構成されている。なお、下部構造部１１の底面には、水抜き穴等を必要数設けることが可能である。例えば、凹部３の外周側の傾斜が一番低くなっているところに水抜き穴を設ける等である。また、図３において、収納容器１０の各部厚さを比較的に厚く図示しているが、構成する合成樹脂の強度によっては各部の厚さは薄くすることも可能である。また強度や機能に応じて、部位により厚さを変更することも可能である。
【００３２】
図４は、本考案の鉢植胡蝶蘭集合体で用いることのできる１本立ち鉢植胡蝶蘭の例を示す斜視図である。図４の右側が前方向となる。
【００３３】
１本立ち鉢植胡蝶蘭１００は、１株の胡蝶蘭１２０を鉢１１０に植付けた鉢植蘭である。鉢１１０の上部から花茎１２１がのびており、花茎１２１は上部に立ち上がる花茎立上り部１２１ａと、花茎立上り部１２１ａから前側に湾曲する花茎湾曲部１２１ｂと、花茎湾曲部１２１ｂから下側に垂れ下がる花茎垂下部１２１ｃを有している。花茎垂下部１２１ｃには、花芽が付いており、胡蝶蘭の花１２２は花茎垂下部１２１ｃの上部から下部（先端部）に向かって交互に位置している。なお、胡蝶蘭１２０の鉢１１０よりも上側の高さは、鉢１１０の高さの約２倍以上である。
【００３４】
また、鉢１１０の上部からは支持具１１７が花茎１２１に沿って設けられている。支持具１１７は、立上り部１１７ａ、湾曲部１１７ｂ、垂下部１１７ｃを備えており、花茎１２１の花茎立上り部１２１ａ、花茎湾曲部１２１ｂ、花茎垂下部１２１ｃのそれぞれに沿って設けられている。花茎１２１は支持具１１７に対して所定間隔で設けられた止め具１１８により複数箇所で支持されている。これにより、花茎１２１の位置や形状を決めることができる。止め具１１８は、例えばテープ等を利用できる。
【００３５】
また、鉢１１０は、図４の例では、逆円錐台の形状のものが用いられており、外形の水平断面が略円形で底部１１０ａから上部に行くに従い断面積が大きくなっている。また、鉢１１０は、株の高さ調整もできるようにするために、ある程度以上の高さを備えている。これにより、鉢１１０の形状は、１本立ち鉢植胡蝶蘭１００の室内の観賞用として外観のよい形状となる。
【００３６】
鉢１１０の材質は、プラスチックや紙よりも、陶磁器（土器、せっ器、陶器、磁器、素焼き等）やガラス製等の重さのある鉢がよりふさわしい。これにより、１本立ち鉢植胡蝶蘭１００の安定性を増すことが可能となる。また、鉢１１０は、上部が開口して中が空洞の形状であり、内部には、植込み材料（バーク、水苔、ヤシ殻等）や高さ調節用の詰物等が入れられており、胡蝶蘭１２０は植込み材料に植えられている。また、支持具１１７は、植込み材料の下側に配置される詰物まで到達して固定することができる。また、鉢１１０の底部１１０ａには水はけ用の穴を設けてもよい。
【００３７】
図５は、本考案の鉢植胡蝶蘭集合体の第１の実施形態を示す斜視図である。図５では、図１〜３に示した収納容器１０に、図４で示した１本立ち鉢植胡蝶蘭１００を３つ配置した例を示している。
【００３８】
図１〜３で説明した収納容器１０の凹部３に、図４の１本立ち鉢植胡蝶蘭１００の鉢１１０をそれぞれ収納することで、鉢植胡蝶蘭集合体２００とできる。収納は鉢１１０の底部１１０ａを上から凹部３に挿入することで完了する。１本立ち鉢植胡蝶蘭１００の向きは、すべて前側を向くようにそろえることで見栄えが良くなる。そして、この場合、凹部３が鉢１１０を傾斜して支えることにより、１本立ち鉢植胡蝶蘭１００全体としても上方に向かって外側へ広がるように傾斜することになる。このとき、花茎立上り部１２１ａ、花茎湾曲部１２１ｂ、花茎垂下部１２１ｃもそれぞれ傾斜することになり、鉢植胡蝶蘭集合体２００の広がりを持たせることが可能となる。また、中央の１本立ち鉢植胡蝶蘭１００の花１２２が前側に来るように支持具１１７を調整するとさらに見栄えがよいものとなる。
【００３９】
一方で、各１本立ち鉢植胡蝶蘭１００の花茎垂下部１２１ｃも外側に広がって構成されるが、見栄えをさらによくするために、各１本立ち鉢植胡蝶蘭１００の角度や位置を矯正してもよい。具体的には、花茎垂下部１２１ｃを平行にしたり、花１２２が重ならないように配置したりして、矯正する。この場合、例えば、花茎１２１の花茎湾曲部１２１ｂと花茎垂下部１２１ｃを補強部材等を用いて、それぞれの花茎が平行となるように矯正することができる。例えば、隣り合う１本立ち鉢植胡蝶蘭１００の支持具１１７間の距離を調整する補強部材を用いる等して構成することが可能である。なお、この補強部材の図示は省略した。
【００４０】
次に、鉢植胡蝶蘭集合体２００から１つの１本立ち鉢植胡蝶蘭１００を取り出す場合について説明する。
【００４１】
収納容器１０に収納されている１本立ち鉢植胡蝶蘭１００を収納容器１０から取出して単独で鑑賞することができる。この場合、１本立ち鉢植胡蝶蘭１００を収納容器１０の上方へ持ち上げることで鉢１１０の底部１１０ａを凹部３から抜き出て、取り出すことが可能である。そして、取り出した１本立ち鉢植胡蝶蘭１００を水平面に置くと、花茎１２１は鉢１１０の縦方向（垂直方向）中心軸にほぼ一致した位置に配置され、特別な作業を行うことなくそのまま鑑賞することができる。また、装飾を加えてもよい。
【００４２】
ただし、前述した隣合う１本立ち鉢植胡蝶蘭１００の花茎１２１の花茎湾曲部１２１ｂ及び花茎垂下部１２１ｃに用いた補強部材については除去する簡単な作業が必要となる。しかし、補強部材の除去により復元力で支持具１１７や花茎１２１が元の垂直の位置に戻ることが可能なため、支持具１１７や花茎１２１の曲がりを矯正する等の煩雑な作業は不要となる。
【００４３】
上記図５では、収納容器１０に適用する鉢植組合せについて、３つのすべてが１本立ち鉢植胡蝶蘭１００を収納した例について説明した。しかし、収納容器１０に少なくとも１つの１本立ち鉢植胡蝶蘭１００と他の鉢植植物を組み合わせた鉢植組合せを収納してもよい。例えば、１つの１本立ち鉢植胡蝶蘭１００と２つの他の鉢植植物、２つの１本立ち鉢植胡蝶蘭１００と１つの他の鉢植植物等である。他の鉢植植物としては、例えば、カトレア等の洋蘭、或いは、ポトス、アイビー等である。他の鉢植植物は、凹部３に収納可能な鉢（例えば鉢１１０と同形状の鉢）を備えていれば、１本立ち鉢植胡蝶蘭１００と他の鉢植植物を組み合わせた集合体を構成することが可能である。例えば、図１であれば、中央奥に１本立ち鉢植胡蝶蘭１００を収納して、前側の両側の二つの凹部３にカトレア等の洋蘭、或いは、ポトス、アイビー等の植物を植付けた鉢を収納する等である。
【００４４】
以上のように第１の実施形態について説明したが、収納容器１０を用いて、複数の１本立ち鉢植胡蝶蘭１００を鉢植胡蝶蘭集合体２００として全体で鑑賞することが可能である。さらに、収納容器１０の下部構造部１１において、凹部３で１本立ち鉢植胡蝶蘭１００を傾けて保持することにより、上にいくほど広がりを持って配置することが可能となり、見栄えのよいものとなる。このとき、収納容器１０自体はコンパクトに形成することができる。また、収納容器１０を逆円錐台とすることで、美観に貢献することができる。さらに、複数の１本立ち鉢植胡蝶蘭１００は、補強部材を用いて花茎垂下部１２１ｃを平行にする等、形や位置を整えることで、さらに見栄えのよいものとすることができる。
【００４５】
さらに、１本立ち鉢植胡蝶蘭１００は収納容器１０から取り出すことができ、単独で鑑賞も可能となる。特に、１本立ち鉢植胡蝶蘭１００の鉢１１０が陶磁器等で重く形成されている場合は、単独で安定的に配置することが可能となる。さらに、収納容器１０には、１本立ち鉢植胡蝶蘭１００以外の植物であっても、収納可能であるので、様々なパターンの集合体を鑑賞して楽しむことが可能となる。これにより、胡蝶蘭のみの場合に比べて、異なる美しさを提供することができ、また、多種多様な組合せが可能であり、手軽に各種蘭の寄せ植えを提供することもできる。
【００４６】
さらに、各凹部３を含めて、収納容器１０全体を一体成型により構成することにより、他の部材を用いることなく、１本立ち鉢植胡蝶蘭１００を配置させることができるため、集合体の組付けが簡単であり、部品管理の手間も軽減される。
【００４７】
（第２の実施形態）
図６は、本考案の鉢植胡蝶蘭集合体の第２の実施形態の収納容器を示す部分断面図である。図６は第１の実施形態の図３に代わる図を示している。第２の実施形態では、第１の実施形態と異なる点について主に説明し、同一の箇所には同一の符号を付してあり、特に説明がない部分は同じ説明を省略している。
【００４８】
第２の実施形態の収納容器１０’は、下部構造部１１’と上部構造部１２’とを別部材として構成し結合する構造としている点が第１の実施形態の収納容器１０とは異なる。これにより上部構造部１２’は、下部構造部１１’に対して分離や取り換えが可能な構成となる。
【００４９】
下部構造部１１’では、鉢保持部１１ａを構成する凹部３については第１の実施形態と同様である。下部構造部１１’は、合成樹脂により成型することができる。
【００５０】
上部構造部１２’は、下部構造部１１’の外側上縁部から立ち上っている側壁部５１により構成されている。側壁部５１は、例えば、厚紙（ボール紙）や段ボール等の紙材を用いる等して、装飾用筒部材として、側面全周を覆うように構成することができる。側壁部５１は上に行くほど水平方向の直径が大きくなる構成である。これにより、収納容器１０’全体として逆円錐台の形状となっている。
【００５１】
上部構造部１２’の形成について説明する。側壁部５１は、展開したとき扇状の末広がり形状（環状扇形）とする。そして、これを円錐状に丸めて成形し、直径の小さい下側端部の内側を下部構造部１１’の外周の接続部１１ｂに接着又は固定具によって取付けを行う。上部構造部１２’の高さは、第１の実施形態の上部構造部１２の高さと同様にできる。また、下部構造部１１’の外周の接続部１１ｂは、接続するために必要な立ち上がり高さを備えていてもよい。
【００５２】
なお、上部構造部１２’（側面部１２ａ）が紙製や薄材で形成される場合、上端部分の強度が不足することが予想されるが、このような場合には、上端部に金属線材或いは合成樹脂製の縁材を設置することで強度を増すことが可能である。
【００５３】
この第２の実施形態によれば、合成樹脂によって構成される下部構造部１１’の高さ寸法を、第１の実施形態の収納容器１０に比べて短くすることができる。したがって、下部構造部１１’を射出成型によって製作する場合の型を小型にすることができ、型製作に要するコストを抑えることができる。また、上部構造部１２’を紙製とすることで、収納容器１０’が不要になった場合、上部構造部１２’を分離して廃棄が容易となる。また、上部構造部１２’を変えることで下部構造部１１’は共通としてデザインを変更することもできる。この他の効果（下部構造部１１と上部構造部１２を一体成型した以外の効果）は第１の実施形態と同様である。
【００５４】
（第３の実施形態）
図７は、本考案の鉢植胡蝶蘭集合体の第３の実施形態の収納容器を示す部分断面図である。図８は、本考案の鉢植胡蝶蘭集合体の第３の実施形態の収納容器の組み立て方法を示す部分的な斜視図である。図７は第１の実施形態の図３に代わる図を示している。第３の実施形態では、第１の実施形態と異なる点について主に説明し、同一の箇所には同一の符号を付してあり、特に説明がない部分は同じ説明を省略している。
【００５５】
第３の実施形態の収納容器１０’’は、下部構造部１１’’と上部構造部１２’’とを別部材として構成し結合する構造としている点が第１の実施形態の収納容器１０とは異なる。また、上部構造部１２’’が枠構造６０である点が第２の実施形態と異なる。なお、上部構造部１２’’は、下部構造部１１’’に対して分離や取り換えが可能な構成となる。
【００５６】
下部構造部１１’’ では、鉢保持部１１ａを構成する凹部３については第１の実施形態と同様である。下部構造部１１’’は、合成樹脂により成型することができる。また、下部構造部１１’’の外周部には、複数の接続穴１１ｄを備えるフランジ部１１ｃが外周側へ向けて突出して形成されている。フランジ部１１ｃは全周設けてもよいし、接続穴１１ｄを備える部分だけ設けてもよい。また、接続穴１１ｄはフランジ部１１ｃを貫通している。
【００５７】
上部構造部１２’’は、下部構造部１１’’の外側上縁部から立ち上っている枠構造６０により構成されている。枠構造６０は、例えば、図７に示すように上部横線材６１、中間部横線材６２、縦線材６３等により構成される。上部横線材６１は上部の外周を全周する円状の線材である。中間部横線材６２は中間高さの外周を全周する円状の線材である。縦線材６３は、フランジ部１１ｃから上方向に延びる線材であり上部横線材６１まで延びている。縦線材６３は、外周に沿って複数設けられ、それぞれ上部横線材６１、中間部横線材６２と固定され強度が高められる。この場合の固定は、例えば、溶接等の接合、接着、固定具による固定などがあげられる。
【００５８】
枠構造６０の各線材の材質は、所定の強度を有する線材を適用するとよい。例えば、ステンレスやアルミ、鉄等の金属線材を採用することができる。また、縦線材６３の数は、例えば４本以上、さらには６本以上、さらには１０本以上等である。また、上部横線材６１の直径を中間部横線材６２の直径より大きくすることで、収納容器１０’’全体として逆円錐台の形状とすることができる。
【００５９】
上部構造部１２’’の組み立て方法について説明する。縦線材６３の先端を直角程度折り曲げた折曲部６４を構成しておく。この折曲部６４を、下部構造部１１’’のフランジ部１１ｃに設けられた接続穴１１ｄに挿入して固定することで、上部構造部１２’’と下部構造部１１’’とを固定することができる。接続穴１１ｄは、長孔として折曲部６４を挿入し易くしてもよい。また、接続穴１１ｄの数は折曲部６４を受け入れるだけの数を設けてある。そして、枠構造６０の外周面に装飾用の紙或いは合成樹脂製フィルムを貼り付けて装飾することもできる。
【００６０】
この第３の実施形態によれば、合成樹脂によって構成される下部構造部１１’’の高さ寸法を、第１の実施形態の収納容器１０に比べて短くすることができる。したがって、下部構造部１１’’を射出成型によって製作する場合の型を小型にすることができ、型製作に要するコストを抑えることができる。また、上部構造部１２’’を金属線材等による枠構造６０とすることで、所定の強度を有することから取扱いに特別な配慮が不要となる。また、上部構造部１２’’について枠構造６０のみで販売すれば、装飾部材を省略することができコストを抑えることができる。一方で、装飾を枠構造６０上に自由に行うことも可能である。この他の効果（下部構造部１１と上部構造部１２を一体成型した以外の効果）は第１の実施形態と同様である。
【００６１】
（実施形態の変形例１）
上記の第１〜３の実施形態においては、凹部３によりに収納容器１０、１０’、１０’’に収納する各１本立ち鉢植胡蝶蘭１００をそれぞれ上端側が外側に傾斜した状態で保持する構造としている。しかし、これらの角度は常に一定でなくても適用可能である。また、収納容器１０、１０’、１０’’の縦方向（高さ方向）中心軸Ｐに対して、上端側が離れる方向に傾斜すればよく、傾斜の向きは位置に応じて調整してもよい。さらに、凹部３のすべてを傾斜させなくてもよい。
【００６２】
例えば、図１、２に示した前面側（紙面の下側）の２つの凹部３は傾斜させ、背面側（紙面の上側）の１つの凹部３は傾斜させずに、縦方向中心軸をほぼ垂直のままとする構造とすることも可能である。この場合、背面の１つは傾斜していないが、前面側の２つが外側に傾斜していることで、広がりを持たせることが可能となり見栄えがよいものとなる。すなわち、上述した凹部３による傾斜は、１つ以上、さらには２つ以上でもよく、このような構成でもある程度以上の広がりを持たせることが可能である。これらは、１本立ち鉢植胡蝶蘭１００と他の鉢植植物を組み合わせる場合も同様である。
【００６３】
（実施形態の変形例２）
上記の第１〜３の実施形態においては、収納容器１０、１０’、１０’’として、その外形の水平断面が円形のものについて説明した。しかし、収納容器１０、１０’、１０’’はこれ以外の形状でも適用可能である。外形の水平断面の形状として、例えば、楕円や多角形（四角形、五角形、六角形、八角形等）等である。また、収納容器１０、１０’、１０’’は、上側に行くに従い外形の水平断面の面積を大きくすることで、全体としてデザイン性を高めることができる。この場合、収納容器１０の形状は、逆円錐台、逆楕円錐台、逆角錐台等とできる。これらの場合、収納容器１０の縦方向中心軸Ｐは水平断面における外形図形の中心の軸とすればよい。
【００６４】
なお、逆円錐台は円錐台（水平断面が円の錐台）を上下逆さまにした形状である。逆楕円錐台は、逆円錐台に対して水平断面の形状が円の代りに楕円を用いた形状である。逆角錐台は角錐台（水平断面が多角形の錐台）を上下逆さまにした形状である。
【００６５】
（実施形態の変形例３）
上記の第１〜３の実施形態においては、１本立ち鉢植胡蝶蘭１００の鉢１１０として、その外形の水平断面が円形のものについて説明した。しかし、鉢１１０はこれ以外の形状でも適用可能であり、同様の効果を奏することができる。断面の形状として、例えば、多角形（四角形、五角形、六角形、八角形等）、楕円等である。すなわち、鉢１１０の形状について、購入者の好みによってその断面形状が異なるため、各種形状を準備しておき選択可能とすることが想定される。この場合、凹部３の形状は、鉢１１０の形状に合わせることで、保持することが可能となる。また、鉢１１０は、上側に行くに従い外形の水平断面の面積を大きくすることで、全体としてデザイン性を高めることができる。この場合、鉢１１０の形状は、逆円錐台、逆角錐台、逆楕円錐台等とできる。
【００６６】
（実施形態の変形例４）
上記の第１〜３の実施形態においては、３つの１本立ち鉢植胡蝶蘭１００を収納容器１０、１０’、１０’’に収納する実施形態について説明した。しかし、凹部３の数を減らして２つとして、１本立ち鉢植胡蝶蘭１００の数を２つとしてもよい。さらに、凹部３の数を増やし、１本立ち鉢植胡蝶蘭１００の数を増やしてもよい。
【００６７】
例えば、胡蝶蘭の鉢植においては、奇数の株が好まれるため、収納容器に５つの１本立ち鉢植胡蝶蘭１００を収納してもよい。この場合、例えば、前面側に３つ、背面側に２つの１本立ち鉢植胡蝶蘭１００を配置することが考えられる。この場合、凹部３の傾斜については、前面側の両端の２つ、及び、背面側の２つ、計４つの１本立ち鉢植胡蝶蘭１００について、凹部３の底面の傾斜を、上部が両端側に傾くようにすれば見栄えが良くなる。また、このとき１本立ち鉢植胡蝶蘭１００の支持具１１７を傾けなければ、１本立ち鉢植胡蝶蘭１００を単体で飾付けした場合に、支持具１１７の矯正等の作業を必要としない。これらについては、１本立ち鉢植胡蝶蘭１００と他の鉢植植物を組み合わせる場合も同様である。
【００６８】
（実施形態の変形例５）
上記の第１〜３の実施形態においては、凹部３により各１本立ち鉢植胡蝶蘭１００を保持する構成を示したが、鉢１１０の上部側面も支えるスペーサを追加で設けてもよい。例えば、鉢１１０の数だけ穴の開いたダンボール製スペーサ、又は、発泡スチロール製スペーサによって鉢１１０の側面の支持を補助する構成等である。
【００６９】
以上の様に、本考案の実施形態について説明してきたが、本考案は上記の実施形態に限定されるものではなく、上述した以外の様々な変形例も含まれる。例えば、上記した実施形態に設けられた全ての構成を備えるものに限定されるものではない。また、ある実施形態の構成の一部を削除したり、他の構成に置き換えたりすることも可能である。
【符号の説明】
【００７０】
３      凹部
３ａ    底面
３ｂ    側部
１０、１０’、１０’’  収納容器
１１、１１’、１１’’  下部構造部
１１ａ    鉢保持部
１１ｂ    接続部
１１ｃ    フランジ部
１１ｄ    接続穴
１２、１２’、１２’’  上部構造部
１２ａ    側面部
１２ｂ    鍔
５１      側壁部
６０      枠構造
６１      上部横線材
６２      中間部横線材
６３      縦線材
６４      折曲部
１００    １本立ち鉢植胡蝶蘭
１１０    鉢
１１７    支持具
１１７ａ  立上り部
１１７ｂ  湾曲部
１１７ｃ  垂下部
１１８    止め具
１２０    胡蝶蘭
１２１    花茎
１２１ａ  花茎立上り部
１２１ｂ  花茎湾曲部
１２１ｃ  花茎垂下部
１２２    花
２００    鉢植胡蝶蘭集合体
【図１】
0003225207.tif 000003
【図２】
0003225207.tif 000004
【図３】
0003225207.tif 000005
【図４】
0003225207.tif 000006
【図５】
0003225207.tif 000007
【図６】
0003225207.tif 000008
【図７】
0003225207.tif 000009
【図８】
0003225207.tif 000010